(57)【要約】【課題】特に高齢者、身体障害者、又、健常者にも便利である、買物籠、買物カート、マイバック、リュック等の代用ができ、安全で、安心して、少量の買物ができ、精算ができ、そして持ち帰りに使用できる。更には、店舗において、上記の者に対する、買物ベストとして備えることができる、買物・多目的ベストを提供する。【解決手段】腹掛に買物等に用いる為の小型の買物籠も収納可能で、簡単に取替可能な装飾カバー付の網の袋を付けた、二つの腹掛が肩で繋り、肩から背中と腹部に振り分けて、体の左右で止めて着用する、背掛、腹掛両用で一対の、何時でも前後自在に変更使用できる、買物・多目的ベスト。【選択図】    図１
0003156939.tif 000002
【実用新案登録請求の範囲】
【請求項１】
腹掛に、買物等に用いる為の小型の買物籠も収納可能な、カバー付の網の袋を付けた二つの腹掛が肩で繋り、肩から背中と腹部に振り分けて、体の左右で止めて着用する、背掛、腹掛両用で一対の買物・多目的ベスト。
【請求項２】
請求項１に記載する、買物・多目的ベストは何時でも背掛、腹掛を前後自在に変更し、使用できる事を特徴とする、買物・多目的ベスト。
【請求項３】
請求項１に記載する、買物・多目的ベストは、中身の分かる、体に付けた買物袋・籠を特徴とする、買物・多目的ベスト。
【請求項４】
請求項１に記載する、買物・多目的ベストは、使用目的により、上衣の上、又は下に着用するのを特徴とする、買物・多目的ベスト。
【請求項５】
請求項１に記載する、買物・多目的ベストのカバーは、装飾品として、簡単に取替可能であることを特徴とする、買物・多目的ベスト。
【考案の詳細な説明】
【技術分野】
【０００１】
本考案は、腹掛に、買物等に用いる為の小型の買物籠も収納可能な、カバー付の網の袋を付けた、二つの腹掛が肩で繋り、肩から背中と腹部に振り分けて、体の左右で止めて着用する、背掛・腹掛両用で一対の、何時でも前後自在に変更、使用できる、買物・多目的ベスト。
【背景技術】
【０００２】
コンビニエンスストア等小規模な店舗で買物をするにあたり、歩行補助杖等の使用者は買物籠、マイバック、リュック等の使用に苦慮している。
【０００３】
大型店舗等で備付けの買物籠、買物カートが高齢、身体障害者等の理由で使用できない人、又、健常者でも、少量の買い物をするとき、安心して気軽に買物、精算、持ち帰りができることを望み、又、店の経営者もそれが便利である。
【考案の開示】
【考案が解決しようとする課題】
【０００４】
以上述べたように、高齢者、身体障害者、健常者、経営者共に買物籠、買物カート、マイバック、リュック等がなくても気軽に、安心して少量の買物、精算、そして持ち帰ることができる、物があれば便利である。
【０００５】
このような課題を、本考案の買物・多目的ベストにより解決するものである。
【課題を解決するための手段】
【０００６】
図面、図１は、本考案の、腹掛に買物等に用いる為の小型の買物籠も収納可能な、カバー付の網の袋を付けた、二つの腹掛が肩で繋り、肩から背中と腹部に振り分けて、体の左右で止めて着用する、背掛、腹掛両用で一対の、いつでも前後自在に変更、使用できる、買物・多目的ベストである。
【０００７】
上記の買物・多目的ベストの網の袋は本考案の目的を果たせる強さの網と容量以上で製作し、カバーは、撥水材を使用する。
【０００８】
上記の課題解決する手段による作用は次のとおりである。
その第１は、体に着用する買物・多目的ベストであり、高齢者、身体障害者、健常者の普通のベスト、上衣の上から着用して買物用等のベスト、更には店舗用等利用範囲が広い。
【０００９】
その第２は、網の袋の付いた買物・多目的ベストの使用による買物は、利用店も便利であり、協力を得て、買物、精算、持ち帰りが可能である。
【００１０】
その第３は、撥水効果のあるカバーは、買物時は、網の袋の中の内側で使用し、買物商品の精算後は、網の袋の装飾カバーとして使用する。
【考案の効果】
【００１１】
上述したように、買物等において、高齢者、身体障害者、健常者に至る多数の人の、買物籠、買物カート、マイバック、リュック等の役目を果たす、買物・多目的ベストとなり、安全で安心で気軽に買物等に使用できる。
【００１２】
更に、店舗においては、そのまま、又は、網袋に買物籠を入れた、上記の者に対する買物・多目的ベストとして備えることが出来る。
【考案を実施するための最良の形態】
【００１３】
以下本考案の実施の形態を図面に基づいて説明する。
【００１４】
図面、図１は、腹掛に買物等に用いるための小型の買物籠も収納可能な、カバー付の網の袋を付けた、背掛、腹掛両用で一対となった、本考案の買物・多目的ベストである。
【００１５】
ベスト本体の素材は、撥水効果のあるポリエステルと綿の繊維等の布地を基本とし、背掛、腹掛の巾３５ｃｍ、着丈６０ｃｍ、首巾１７ｃｍを基本とする。
【００１６】
網の素材は、麻糸、ポリエチレン糸等で丈夫で、網目は長さ２ｃｍで、袋の内径は横２１ｃｍ、縦２６ｃｍ、巾１０ｃｍを基本とし、ベストに縫合取付し、その中に小型の買物籠が入り、買物１，５００グラム以上に耐え、買物時に袋の中身が分かるものとする。
【００１７】
網の袋のカバーは、撥水材で装飾品として、簡単に取替可能であることを特徴とする。
【実施例】
【００１８】
以下、本考案の実施例を図面に基づいて説明する。
【００１９】
上衣に重ねて、図面、図１の肩で繋げた買物・多目的ベストの中央(Ｐ)から頭を出し、買物・多目的ベストを背中と腹部に振り分けて身に着ける。
【００２０】
体の左右で紐で結び固定する。(Ｅ１とＥ４)(Ｅ２とＥ３)
【００２１】
カバー(Ａ)を網の袋(Ｂ)の中の内側に入れ、袋の中身が分かる様にする。
【００２２】
予め許可を得て、買物をした商品を買物・多目的ベストの袋に入れる。
【００２３】
精算場所で、買物・多目的ベストから買物した商品を出し、又は買物・多目的ベストを外して精算を完了する。
【００２４】
精算が完了したら、商品を買物・多目的ベストに収納し、カバーを網の袋の外に付け、止めて、背と腹に分けたバック、又はリュックとして使用する。
【図面の簡単な説明】
【００２５】
【図１】背掛腹掛両用、一対の買物・多目的ベストの開いた平面図
【図２】買物・多目的ベストの前掛、背掛の正面図
【図３】買物・多目的ベストのカバーをした正面図
【符号の説明】
【００２６】
Ａ      網の袋のカバー
Ｂ      網の袋の部分
Ｃ      買物・多目的ベストの肩の部分
Ｄ      買物・多目的ベストの背掛と腹掛の部分
Ｅ１    Ｅ４の紐と結び止める、場合の紐
Ｅ２    Ｅ３の紐と結び止める、場合の紐
Ｅ３    Ｅ２の紐と結び止める、場合の紐
Ｅ４    Ｅ１の紐と結び止める、場合の紐
Ｐ      多目的ベストの中心であり頭を出す穴
Ｑ      カバーを紐で結び止める、場合の紐
Ｒ      網の袋の入口を紐で止める、場合の紐
【図１】
0003156939.tif 000003
【図２】
0003156939.tif 000004
【図３】
0003156939.tif 000005
【手続補正書】
【提出日】平成21年11月11日(2009.11.11)
【手続補正１】
【補正対象書類名】実用新案登録請求の範囲
【補正対象項目名】全文
【補正方法】変更
【補正の内容】
【実用新案登録請求の範囲】
【請求項１】
腹掛に、買物等に用いる為の小型の買物籠も収納可能な、装飾カバー付の中身の分かる網の袋を付けた、二つの腹掛が肩で繋り、肩から背中と腹部に振り分けて、体の左右で止めて着用する、背掛、腹掛両用で一対の買物・多目的ベスト。
【請求項２】
請求項１に記載する、買物・多目的ベストは、何時でも背掛、腹掛を前後で入れ替えて使用できる事を特徴とする、買物・多目的ベスト。
【請求項３】
請求項１に記載する、買物・多目的ベストは、使用目的により、上衣の上、又は下に着用するのを特徴とする、買物・多目的ベスト。
【請求項４】
請求項１に記載する、買物・多目的ベストのカバーは、装飾品として、簡単に取替え可能であることを特徴とする、買物・多目的ベスト。